(57)【要約】【課題】イベントに関係する画像を記録するタイミングを判断して入れ替えることができるようにする。【解決手段】外部に接続される画像配信装置とともに画像配信システムを構成する画像配信装置に、画像情報を管理する画像管理手段と、イベントに関係するイベント画像群を取得する入替画像取得手段と、前記イベントに関係する画像群を入れ替える際の設定情報を管理する画像入替設定管理手段と、前記入替画像取得手段により取得したイベント画像群を外部の画像配信装置に送信する画像送信手段とを設け、撮影手段を持った端末内のストレージに記録されている画像群と入れ替えることができるようにする。【選択図】図１
2013165451.tif 000002
【特許請求の範囲】
【請求項１】
外部に接続される画像配信装置とともに画像配信システムを構成する画像配信装置であって、
画像情報を管理する画像管理手段と、
イベントに関係するイベント画像群を取得する入替画像取得手段と、
前記イベントに関係する画像群を入れ替える際の設定情報を管理する画像入替設定管理手段と、
前記入替画像取得手段により取得したイベント画像群を外部の画像配信装置に送信する画像送信手段とを有することを特徴とする画像配信装置。
【請求項２】
システム利用者のイベント情報を管理するスケジュール管理手段を有することを特徴とする請求項１に記載の画像配信装置。
【請求項３】
前記スケジュール管理手段が管理するイベント情報と現在時刻とに基づいて画像を入れ替えるタイミングを判断する画像入替タイミング判断手段を有することを特徴とする請求項２に記載の画像配信装置。
【請求項４】
外部に接続される画像配信装置とともに画像配信システムを構成する画像配信装置であって、
画像を撮影する画像撮影手段と、
端末内で画像を管理する端末側画像管理手段と、
前記外部に接続される画像配信装置から送信されたイベント画像群を受信し、前記端末側画像管理手段で管理しているイベント画像群と入れ替える画像入替手段とを有することを特徴とする画像配信装置。
【請求項５】
前記画像入替手段は、イベント画像群の入れ替えを行う際に前記端末側画像管理手段の容量に基づき画像入替の処理を実施するかどうかを判断することを特徴とする請求項４に記載の画像配信装置。
【請求項６】
前記端末側画像管理手段は、
前記画像撮影手段で撮影された画像を管理する撮影画像管理手段と、
前記画像入替手段で入れ替えるイベントに関係のある画像を管理するイベント画像管理手段とを有することを特徴とする請求項４または５に記載の画像配信装置。
【請求項７】
前記外部に接続される画像配信装置から取得するイベント情報と現在時刻とに基づいて画像を入れ替えるタイミングを判断する画像入替タイミング判断手段を有することを特徴とする請求項４〜６の何れか１項に記載の画像配信装置。
【請求項８】
システム利用者のイベント情報を管理するスケジュール管理手段を有することを特徴とする請求項４〜６の何れか１項に記載の画像配信装置。
【請求項９】
イベント情報に基づいて、イベントに関係する画像を取得し送信する第１の装置と、前記第１の装置から送信された画像を受信し画像を入れ替える第２の装置から構成される画像配信システムであって、
前記第１の装置は、
イベント情報を管理するスケジュール管理手段と、
画像情報を管理する画像管理手段と、
前記スケジュール管理手段が管理するイベント情報と現在時刻とに基づいて画像を入れ替えるタイミングを判断する画像入替タイミング判断手段と、
イベントに関係するイベント画像群を取得する入替画像取得手段と、
前記イベントに関係する画像群を入れ替える際の設定情報を管理する画像入替設定管理手段と、
前記入替画像取得手段により取得したイベント画像群を外部の画像配信装置に送信する画像送信手段とを有し、
前記第２の装置は、
画像を撮影する画像撮影手段と、
端末内で画像を管理する端末側画像管理手段と、
前記外部に接続される画像配信装置から送信されたイベント画像群を受信し、前記端末側画像管理手段で管理しているイベント画像群と入れ替える画像入替手段とを有することを特徴とする画像配信システム。
【請求項１０】
イベント情報に基づいて、イベントに関係する画像を取得し送信する第１の装置と、前記第１の装置から送信された画像を受信し画像を入れ替える第２の装置から構成される画像配信システムであって、
前記第１の装置は、
イベント情報を管理するスケジュール管理手段と、
画像情報を管理する画像管理手段と、
イベントに関係するイベント画像群を取得する入替画像取得手段と、
前記イベントに関係する画像群を入れ替える際の設定情報を管理する画像入替設定管理手段と、
前記入替画像取得手段により取得したイベント画像群を外部の画像配信装置に送信する画像送信手段とを有し、
前記第２の装置は、
前記第１の装置のスケジュール管理手段が管理するイベント情報と現在時刻とに基づいて画像を入れ替えるタイミングを判断する画像入替タイミング判断手段と、
画像を撮影する画像撮影手段と、
端末内で画像を管理する端末側画像管理手段と、
前記外部に接続される画像配信装置から送信されたイベント画像群を受信し、前記端末側画像管理手段で管理しているイベント画像群と入れ替える画像入替手段とを有することを特徴とする画像配信システム。
【請求項１１】
イベント情報に基づいて、イベントに関係する画像を取得し送信する第１の装置と、前記第１の装置から送信された画像を受信し画像を入れ替える第２の装置から構成される画像配信システムであって、
前記第１の装置は、
画像情報を管理する画像管理手段と、
イベントに関係するイベント画像群を取得する入替画像取得手段と、
前記イベントに関係する画像群を入れ替える際の設定情報を管理する画像入替設定管理手段と、
前記入替画像取得手段により取得したイベント画像群を外部の画像配信装置に送信する画像送信手段とを有し、
前記第２の装置は、
イベント情報を管理するスケジュール管理手段と、
前記スケジュール管理手段が管理するイベント情報と現在時刻とに基づいて画像を入れ替えるタイミングを判断する画像入替タイミング判断手段と、
画像を撮影する画像撮影手段と、
端末内で画像を管理する端末側画像管理手段と、
前記外部に接続される画像配信装置から送信されたイベント画像群を受信し、前記端末側画像管理手段で管理しているイベント画像群と入れ替える画像入替手段とを有することを特徴とする画像配信システム。
【請求項１２】
イベント情報に基づいて、イベントに関係する画像を取得し送信する第１の装置と、前記第１の装置から送信された画像を受信し画像を入れ替える第２の装置から構成される画像配信システムの制御方法であって、
前記第１の装置は、
イベント情報を管理するスケジュール管理工程と、
画像情報を管理する画像管理工程と、
前記スケジュール管理工程が管理するイベント情報と現在時刻とに基づいて画像を入れ替えるタイミングを判断する画像入替タイミング判断工程と、
イベントに関係するイベント画像群を取得する入替画像取得工程と、
前記イベントに関係する画像群を入れ替える際の設定情報を管理する画像入替設定管理工程と、
前記入替画像取得工程において取得したイベント画像群を外部の画像配信装置に送信する画像送信工程とを有し、
前記第２の装置は、
画像を撮影する画像撮影工程と、
端末内で画像を管理する端末側画像管理工程と、
前記外部に接続される画像配信装置から送信されたイベント画像群を受信し、前記端末側画像管理工程で管理しているイベント画像群と入れ替える画像入替工程とを有することを特徴とする画像配信システムの制御方法。
【請求項１３】
イベント情報に基づいて、イベントに関係する画像を取得し送信する第１の装置と、前記第１の装置から送信された画像を受信し画像を入れ替える第２の装置から構成される画像配信システムの制御方法であって、
前記第１の装置は、
イベント情報を管理するスケジュール管理工程と、
画像情報を管理する画像管理工程と、
イベントに関係するイベント画像群を取得する入替画像取得工程と、
前記イベントに関係する画像群を入れ替える際の設定情報を管理する画像入替設定管理工程と、
前記入替画像取得工程において取得したイベント画像群を外部の画像配信装置に送信する画像送信工程とを有し、
前記第２の装置は、
前記第１の装置のスケジュール管理工程が管理するイベント情報と現在時刻とに基づいて画像を入れ替えるタイミングを判断する画像入替タイミング判断工程と、
画像を撮影する画像撮影工程と、
端末内で画像を管理する端末側画像管理工程と、
前記外部に接続される画像配信装置から送信されたイベント画像群を受信し、前記端末側画像管理工程で管理しているイベント画像群と入れ替える画像入替工程とを有することを特徴とする画像配信システムの制御方法。
【請求項１４】
イベント情報に基づいて、イベントに関係する画像を取得し送信する第１の装置と、前記第１の装置から送信された画像を受信し画像を入れ替える第２の装置から構成される画像配信システムの制御方法であって、
前記第１の装置は、
画像情報を管理する画像管理工程と、
イベントに関係するイベント画像群を取得する入替画像取得工程と、
前記イベントに関係する画像群を入れ替える際の設定情報を管理する画像入替設定管理工程と、
前記入替画像取得工程において取得したイベント画像群を外部の画像配信装置に送信する画像送信工程とを有し、
前記第２の装置は、
イベント情報を管理するスケジュール管理工程と、
前記スケジュール管理工程が管理するイベント情報と現在時刻とに基づいて画像を入れ替えるタイミングを判断する画像入替タイミング判断工程と、
画像を撮影する画像撮影工程と、
端末内で画像を管理する端末側画像管理工程と、
前記外部に接続される画像配信装置から送信されたイベント画像群を受信し、前記端末側画像管理工程で管理しているイベント画像群と入れ替える画像入替工程とを有することを特徴とする画像配信システムの制御方法。
【請求項１５】
請求項１２〜１４の何れか１項に記載の画像配信システムの制御方法の各工程をコンピュータに実行させることを特徴とするプログラム。
【請求項１６】
請求項１５に記載のプログラムを記憶したことを特徴とするコンピュータ読み取り可能な記憶媒体。
【発明の詳細な説明】
【技術分野】
【０００１】
本発明は画像配信装置及び画像配信システムに関し、特に、スケジュールに関連してイベントに関連のある画像を利用者に提供するために用いて好適な技術に関する。
【背景技術】
【０００２】
従来、静止画像の撮影機能を持つデバイスにおいて、デバイスで撮影された画像は、デバイスのストレージに記録されている。近年、デバイスのストレージは大容量化されているが有限なものである。そのため、デバイスの利用者は、デバイスのストレージ容量がなくなる前に自宅ＰＣ（パーソナル・コンピュータ）やオンラインストレージ等に画像を移動またはコピーしている。
【０００３】
また、スマートフォンの普及により、外出先でもインターネットに接続してオンラインストレージに画像をアップロードすることができる。オンラインストレージにアップロードした画像は、インターネットに接続可能である限りはデバイスから直接閲覧またはダウンロードすることができる。
【０００４】
しかし、外出先ではインターネットに接続できないこともある。また、オンラインストレージの画像を閲覧またはダウンロードするには、インターネット回線を介して画像のやり取りを行なわなければならない。そのため、デバイスの画像を閲覧するより時間がかかってしまう。これらの理由から、デバイスがインターネットに接続できるとしても、デバイスのストレージは有用なものである。ただし、現状は外出先でイベント中に閲覧したい画像をデバイスのストレージに移動またはコピーする作業は人手で行われており、手間を要するものである。
【０００５】
この課題を解決するために、イベント情報を基に自動で画像を配信し、デバイスに記録する装置および方法が提案されている。イベント情報を基にデータや情報を送信する先行技術としては、以下の例が挙げられる。
【０００６】
第１の例では、イベント情報からキーワードにする文字列を抽出し、文字列をキーワードとして検索対象文章中の文字列を検索する。また、検索された文章から選択された文章のデータを出力装置に送信する文書検索装置が提案されている（特許文献１）。
【０００７】
第２の例では、イベントの発生する前に予告通知を行うためのタイミング情報を判断する。現在時間とタイミング情報とに基づいて、イベント情報から予告メッセージを作成し出力するイベント予告サーバが提案されている（特許文献２）。
【０００８】
第３の例では、送信装置がユーザにとって有用な情報およびその情報が必要とされる時刻を予測し、予測した時刻に基づいて、予測情報を生成し受信装置に送信する。受信装置は受信された予測情報を提示する情報提供システムが提案されている（特許文献３）。
【０００９】
第４の例では、イベント情報と通信可能に接続された、ネットワークを介して接続された利用者端末から受信したイベント情報より検索条件となるキーワードを抽出する。そして、抽出したキーワードに一致する情報を含む関連情報を利用者端末に送信する情報提供システムが提案されている（特許文献４）。
【先行技術文献】
【特許文献】
【００１０】
【特許文献１】特開２０００−２３１５６８号公報
【特許文献２】特開２００２−７３９２０号公報
【特許文献３】特開２００３−６２２３号公報
【特許文献４】特開２００４−２１６２６号公報
【発明の概要】
【発明が解決しようとする課題】
【００１１】
しかしながら、上記先行技術では、イベント情報に基づいて情報やデータを送信するのみであり、タイミングを判断しデータをストレージに記録することはできないという問題点があった。
本発明は前述の問題点に鑑み、イベントに関係する画像を記録するタイミングを判断してデータを記録することができるようにすることを目的とする。
【課題を解決するための手段】
【００１２】
本発明の画像配信装置は、外部に接続される画像配信装置とともに画像配信システムを構成する画像配信装置であって、画像情報を管理する画像管理手段と、イベントに関係するイベント画像群を取得する入替画像取得手段と、前記イベントに関係する画像群を入れ替える際の設定情報を管理する画像入替設定管理手段と、前記入替画像取得手段により取得したイベント画像群を外部の画像配信装置に送信する画像送信手段とを有することを特徴とする画像配信装置。
【発明の効果】
【００１３】
本発明によれば、イベント中にデバイスの利用者が閲覧するデバイスのストレージの画像を自動的に入れ替えることができる。
【図面の簡単な説明】
【００１４】
【図１】実施形態１にかかる画像配信システムの構成例を示したブロック図である。
【図２】画像配信システムのハードウェア構成を示すブロック図である。
【図３】実施形態２にかかる画像配信システムの構成例を示したブロック図である。
【図４】実施形態３にかかる画像配信システムの構成例を示したブロック図である。
【図５】スケジュール管理テーブルの構成例を示す図である。
【図６】画像管理テーブルの構成例を示す図である。
【図７】画像入替設定管理テーブルの構成例を示す図である。
【図８】画像入替タイミング判断手順を説明するフローチャートである。
【図９】入れ替え画像取得手順を説明するフローチャートである。
【図１０】画像入替手順を説明するフローチャートである。
【発明を実施するための形態】
【００１５】
以下、添付の図面を参照して、本発明の画像配信装置をその好適な実施形態に基づいて詳細に説明する。なお、以下の実施形態において示す構成は一例に過ぎず、本発明は図示された構成に限定されるものではない。
＜実施形態１＞
図１は、本発明の実施形態１にかかる画像配信システムの構成例を示したブロック図である。本実施形態の画像配信システムは、第１の装置（第１の画像配信装置）１００、第２の装置（第２の画像配信装置）１１０を備える。
第１の装置１００は、イベント情報と画像情報を管理し、第２の装置１１０のイベントに関係するイベント画像群を送信するものである。
【００１６】
第１の装置１００において、１０１はスケジュール管理部であり、システム利用者のイベント情報を管理する。１０２は画像管理部であり、システム利用者が撮影した画像を管理する。１０３は画像入替タイミング判断部であり、現在時間とスケジュール管理部１０１に基づいて、第２の装置１１０の端末側画像管理部１１１の画像を入れ替えるタイミングを判断する。また、画像の入れ替えに使用するイベント情報をスケジュール管理部１０１から取得し、入替画像取得部１０４に出力する。
【００１７】
１０４は入替画像取得部であり、画像入替タイミング判断部１０３から受け取ったイベント情報に基づいて、画像管理部１０２からイベント情報に関係するイベント画像群を取得する。１０５は画像送信部であり、入替画像取得部１０４で取得したイベント画像群を第２の装置１１０に送信する。１０６は画像入替設定管理部であり、イベントに関係する画像を入れ替える際の設定情報を管理する。
【００１８】
第２の装置１１０は、画像の撮影が可能であり、第１の装置１００から送信されたイベント画像群を受け取り、端末内で管理している画像を入れ替えるものである。１１１は端末側画像管理部であり、端末内で画像を管理する。端末側画像管理部１１１は撮影画像を管理する撮影画像管理部とイベントに関係する画像を管理するイベント画像管理部に分かれていてもよい。
【００１９】
１１２は画像撮影部であり、端末で撮影した画像を端末側画像管理部１１１に記録する。１１３は画像入替部であり、第１の装置１００の画像送信部１０５から送信されたイベント画像群の画像を受信し、端末側画像管理部１１１の画像と入れ替える。
【００２０】
第１の装置１００および第２の装置１１０のハードウェア構成を図２の示すブロック図に示す。第１の装置１００および第２の装置１１０は以下の要素を備える。装置全体を制御するところの中央処理装置（以下、ＣＰＵと称す）２０１。各種動作プログラムを読み取り可能にしたＲＯＭ２０２。プログラム動作中の一時的な値の保存に用いるＲＡＭ２０３。各種時間を計測するタイマ２０４。ユーザインターフェースを表示するためのディスプレイ２０５。キーボード、マウス、タッチディスプレイ等の入力部であるところの操作部２０６。各種設定データファイルを保存しておくための不揮発性メモリであるFlash ROM２０７。外部装置と接続するためのネットワークＩ／Ｆ２０８。各種動作プログラム及び設定データファイルを保存しておくためのハードディスク（以下、ＨＤと称す）２０９。また、各部を接続する内部バス２１０を備えている。
【００２１】
図１における、画像入替タイミング判断部１０３、入替画像取得部１０４、画像送信部１０５を一つのＣＰＵ２０１が兼ねることが可能である。この場合は、ソフトウェア動作が各部の機能を実現していることになる。図示しないが、各部に個別のＣＰＵを備えてもよい。いずれにしても本発明は、ハードウェア、ソフトウェアの別によらず、実現可能である。第１の装置１００と第２の装置１１０との間の通信に関しては、ネットワークＩ／Ｆ２０８が担う。
【００２２】
次に、スケジュール管理部１０１に含まれるスケジュール管理テーブル５００について図５を用いて説明する。利用者によってイベント登録時に、登録したユーザのＩＤ、イベントのタイトル、開始日時、終了日時、場所、参加者が入力されスケジュール管理テーブル５００に格納される。
【００２３】
また、格納時にはイベント情報をユニークに識別可能なＩＤが採番され同時に格納される。ここで、イベント情報とは、スケジュール管理テーブル５００の１レコード分の情報である。例えば、図５のスケジュール管理テーブル５００だと、（501,S,同期新年会,2011/01/05 18:00,2011/01/05 20:00,新宿バーX,A B C）が１つのイベント情報である。
【００２４】
次に、画像管理部１０２に含まれる画像管理テーブル６００について図６を用いて説明する。利用者の画像記録時に、登録した利用者のユーザＩＤ、格納した画像へのパス、画像が撮影された日時、画像が撮影された場所、被写体の情報が画像管理テーブル６００に格納される。
【００２５】
また、格納時には画像情報をユニークに識別可能なＩＤが採番され同時に格納される。ここで、被写体の情報は予め第１の装置１００もしくは第２の装置１１０で管理されており、第２の装置１１０の画像撮影部１１２で撮影した画像に対し顔認識を行い、被写体の情報が取得可能なものとする。
【００２６】
次に、画像入替設定管理部１０６に含まれる画像入替設定管理テーブル７００について図７を用いて説明する。
利用者は予め、第２の装置１１０の端末側画像管理部１１１をイベントに関係のある画像に入れ替える際の動作設定を行うことができる。図７に示すように、入替で優先する要素、入替に使用する端末容量を設定することができる。
【００２７】
入替で優先する要素は、画像の入れ替え時にイベント情報のどの要素に関係する画像を優先して取得するかを設定するためのもので、人物・場所・時期が設定可能である。画像入替の設定を行う方法は、第２の装置１１０のディスプレイ２０５から行ってもよいし、第２の装置１１０が設定用のWebインターフェースを備えているならばインターネットに接続されているWebブラウザから行ってもよいし、それ以外の方法でもよい。
【００２８】
イベントに関係のある画像を入れ替える手順は、初めに画像入替タイミング判断部１０３が、現在時刻とスケジュール管理部１０１が管理するシステム利用者のイベント情報から画像入替を行うタイミングを判断する（図１の矢印１５１）。画像入替タイミング判断部１０３が画像を入れ替えるタイミングだと判断すると、情報が入替画像取得部１０４に出力される（矢印１５２）。
【００２９】
次に、入替画像取得部１０４は、次に実施されるイベントのイベント情報を基に、画像管理部１０２からイベントに関係する画像群を取得する（矢印１５３）。入替画像取得部１０４で、イベントに関係する画像群を取得する際の設定情報は、画像入替設定管理部１０６から取得する（矢印１５９）。
【００３０】
入替画像取得部１０４においてすべての処理が終了すると、画像送信部１０５に出力される（矢印１５４）。画像入替部１１３が、画像送信部１０５に画像入替の要求を出し（矢印１５５）、画像送信部１０５は、取得したイベントに関係する画像群を画像入替部１１３に送信する（矢印１５６）。画像入替部１１３で、画像入替時に使用する設定情報は、第１の装置１００の画像入替設定管理部１０６にアクセスして取得する（矢印１６０）。画像を受信した画像入替部１１３は、端末側画像管理部１１１に画像群を記録する（矢印１５７）。端末側画像管理部１１１には、画像撮影部１１２で撮影された画像も記録される（矢印１５８）。
【００３１】
それでは、スケジュール管理テーブル５００および画像管理テーブル６００の情報を基に、イベントに関係する画像の入れ替え動作手順について説明する。
（１）画像入替タイミング判断手順
第２の装置１１０の端末側画像管理部１１１の画像を入れ替えるタイミングを判断する動作の手順を図８を用いて説明する。
第１の装置１００は、イベントが操作されると画像入替タイミング判断部１０３を実行する。画像入替タイミング判断部１０３が実行されると、画像入替タイミング判断手順が開始される。画像入替タイミング判断手順が開始されると、イベントに対する操作がイベントの新規登録であるかどうかを判断する（Ｓ８０１）。
【００３２】
イベントが新規登録されたのであれば、次に新規登録されたイベントの開始日時が現在時刻以降であり、全てのイベントの中で現在時刻に最も近いかどうかを判断する（Ｓ８０２）。新規登録したイベントの開始日時が現在時刻以降最も近い場合は、新規登録されたイベントのイベント情報を取得する（Ｓ８０３）。
【００３３】
例えば、図５のスケジュール管理テーブル５００において、新規登録されたイベントがＩＤ５０４であればこのイベント情報を取得する。
新規登録されたイベントの開始日時が現在時刻より前もしくは現在時刻以降だが開始時間が最も近いイベントが他に存在する場合は、手順を終了する。
【００３４】
一方、Ｓ８０１の判断において、イベントに対する操作がイベントの新規登録でない場合、イベントが削除されたかどうかを判断する（Ｓ８０４）。イベントの削除でない場合は、現在時刻がイベントの終了時刻であるイベントが存在するかどうかを判断する（Ｓ８０５）。イベントに対する操作がイベントの削除もしくは現在時刻がイベントの終了日時になった場合、開始日時が現在時刻以降に設定されているイベントが存在するかどうかを判断する（Ｓ８０６）。Ｓ８０５においては、現在時刻がイベントの終了時刻であるイベントが存在しなければ、画像入替タイミング判断手順を再度開始する。入替画像取得手順に関しては、後程説明する。
【００３５】
開始日時が現在時刻以降に設定されているイベントが存在する場合は、開始日時が現在時刻に最も近いイベントのイベント情報を取得する（Ｓ８０７）。例えば、図５のスケジュール管理テーブル５００において、終了もしくは削除されたイベントがＩＤ５０２であれば、次のイベントＩＤ５０３が存在するので、イベントＩＤ５０３のイベント情報を取得する。現在時刻以降に開始されるイベントが存在しない場合は、手順を終了する。
【００３６】
最後に、取得したイベント情報を入替画像取得部１０４に渡し、入替画像取得手順によって第２の装置１１０の端末側画像管理部１１１に送信するイベント画像群を取得する（Ｓ８０８）。
【００３７】
（２）入替画像取得手順
画像入替タイミング判断部１０３で判断したタイミングで、第２の装置１１０の端末側画像管理部１１１に送信する画像を取得する入替画像取得手順を、図９を用いて説明する。
図８の画像入替タイミング判断部１０３で取得したイベント情報から、取得したイベントの登録者ユーザＩＤを取得する（Ｓ９０１）。
【００３８】
画像入替設定管理テーブル７００から、取得した登録者ユーザＩＤに対応する入れ替えで優先する要素を取得する（Ｓ９０２）。
次に、スケジュール管理テーブル５００から、該イベント情報の取得した優先する要素の値を取得する（Ｓ９０３）。
次に、画像管理テーブル６００から、取得した値に対して一致率が高い順に、画像管理部１０２の該ユーザＩＤの画像を取得する（Ｓ９０４）。
【００３９】
図５のスケジュール管理テーブル５００で、次のイベントがＩＤ５０３である場合を想定し例を挙げる。
画像入替設定で、入替で優先する要素が“人物”に設定された場合に関して説明する。優先する要素が“人物”なので、スケジュール管理テーブル５００の「参加者」の値を取得する。イベントＩＤ５０３の「参加者」の値は“Ａ Ｂ Ｃ”である。
【００４０】
次に、取得した参加者”Ａ Ｂ Ｃ”およびイベントの登録者”Ｓ”と、図６の画像管理テーブル６００の「被写体」で一致率の高い画像を取得する。画像情報ＩＤ６０１の「被写体」は”Ｓ”であり、一致率は”Ｓ Ａ Ｂ Ｃ”のうち”Ｓ”の一人が一致しているので２５％となる。画像ＩＤ６０２の「被写体」は”Ｓ Ａ Ｂ Ｃ”であり、全て一致しているので一致率は１００％となる。このように一致率を算出していくと、画像ＩＤ６０２、６０６、６０８がイベントＩＤ５０３に最も関係のある画像と判断される。
【００４１】
画像入替設定で、入替で優先する要素が“場所”に設定された場合に関して説明する。
優先する要素が“場所”なので、スケジュール管理テーブル５００の「場所」の値を取得する。イベントＩＤ５０３の「場所」の値は“箱根 Ｙ旅館”である。次に、取得した場所“箱根 Ｙ旅館”と、画像管理テーブル６００の「撮影場所」で一致率の高い画像を取得する。画像管理テーブル６００だと、画像ＩＤ６０２、６０３、６０４、６０５がイベントＩＤ５０３に最も関係のある画像と判断される。この例では場所の名称で一致しているかどうかを比較したが、ＧＰＳ（Global Positioning System）衛星からのＧＰＳ信号を受信して得た座標（緯度、経度、標高）でより詳細に一致率を算出することが可能である。
【００４２】
画像入替設定で、入替で優先する要素が“時期”に設定された場合に関して説明する。優先する要素が“時期”なので、スケジュール管理テーブル５００の「開始日時」「終了日時」の値を取得する。
【００４３】
イベントＩＤ５０３の「開始日時」の値は“2011/01/08 08:00”、「終了日時」の値は“2011/01/10 16:00”である。この場合、時期は“01/08 8:00〜01/10 16:00”となる。この時期と、画像管理テーブル６００の「撮影日時」の時期で一致率の高い画像を取得する。画像管理テーブル６００の画像ＩＤ６０８の時期は“01/10 14:00”であり、イベントの時期に撮影された画像であるため最も一致していると判断される。
【００４４】
次に、イベントの時期以外に撮影された画像の一致率の判断方法を説明する。画像ＩＤ６０９とＩＤ６１０を例に説明すると、画像ＩＤ６０９の時期は“01/10 19:00”でありイベントＩＤ５０３の時期と３時間の差がある。一方、ＩＤ６１０の時期は“01/23 16:30”でありイベントＩＤ５０３の時期と１３日と３０分の差があるため、画像ＩＤ６０９とＩＤ６１０では画像ＩＤ６０９の方が、差が少なく一致率が高いと判断される。
【００４５】
（３）画像入替手順
第２の装置１１０の端末側画像管理部１１１において、記憶されている画像群をイベントに関係のある画像群に入れ替える画像入替手順を、図１０を用いて説明する。
画像入替部１１３は常に第２の装置１１０を監視しておき、無線通信可能であるかどうかを判断する（Ｓ１００１）。無線通信可能であれば、第２の装置１１０の端末側画像管理部１１１でイベント画像の入れ替えに使用可能な端末容量を計算する（Ｓ１００２）。
【００４６】
画像入替部１１３は、第１の装置１００の画像入替設定管理部１０６にアクセスし、図７の画像入替設定管理テーブル７００の使用する端末容量の値を取得する。端末側画像管理部１１１の空き容量が取得した使用する端末容量の値を超える場合は、使用する端末容量の値を使用可能端末容量とする。超えない場合は、端末側画像管理部１１１の空き容量を使用可能端末容量とする。Ｓ１００１で無線通信可能でない場合は、処理を終了する。
【００４７】
ここで、空き容量とは、データが記録されていない領域の容量だけでなく、入替画像フラグがオンに設定されている画像の合計容量も加えたものとする。また、入替画像フラグとは、画像入替部１１３で第１の装置１００から受信し端末側画像管理部１１１に記録した画像であるかどうかを判断するものである。端末側画像管理部１１１で入替画像フラグがオンに設定されている画像群は、画像入替手順での画像入替時に削除されるものなので空き容量として計算する。
【００４８】
次に、計算した使用可能な端末容量があるかどうか判断する（Ｓ１００３）。計算した結果、使用可能な端末容量がある場合は、第１の装置１００に対してイベント画像群の送信要求を行う（Ｓ１００４）。計算した結果、使用可能な端末容量がない場合は、処理を終了する。
【００４９】
イベント画像の送信要求を受けた第１の装置１００は、送信するイベント画像群が準備されているかどうかを判断する（Ｓ１００５）。イベント画像群が準備されている場合は、入替で優先する要素に関してイベントと一致率の高い順に使用可能な端末容量分のイベント画像を取得する（Ｓ１００６）。送信するイベント画像群が準備されていない場合は、処理を終了する。
【００５０】
その後、第１の装置１００は、取得したイベント画像群を第２の装置２００に送信し（Ｓ１００７）、第２の装置２００はイベント画像群を受信する（Ｓ１００８）。第１２の装置２００は、端末側画像管理部１１１で入替画像フラグがオンになっている画像を削除する（Ｓ１００９）。受信したイベント画像群の入替画像フラグをオンにして端末側画像管理部１１１に記録する（Ｓ１０１０）。以上の手順により、第２の装置２００は、イベントに関連した画像群を第１の装置１００から取得し、第２の装置１１０の端末側画像管理部１１１に記録することができる。また、第２の装置１１０は上記の手順とは別に画像の撮影が可能である。
【００５１】
第２の装置１１０の画像撮影部１１２において、撮影画像を端末側画像管理部１１１に記録する画像撮影手順を説明する。
第２の装置１１０で、撮影動作に関係する部分を動作させ、被写体を撮影するとともに、画像を作成する。画像入替手順で入れ替えたイベント画像と区別するために、作成した画像の入替フラグをオフに設定する。撮影した画像を端末側画像管理部１１１に記録する。以上の手順により、第２の装置１１０で撮影した画像を端末側画像管理部１１１に記録することができる。
以上、本発明の１つの実施形態を説明してきたが、本発明はこれにとどまるものではない。以降、本発明の別の実施形態を説明していく。
【００５２】
＜実施形態２＞
画像入替タイミング判断部１０３を第２の装置１１０の中に入れた時の構成を図３のブロック図で示す。
図１と異なり、画像の入れ替えタイミングは第２の装置１１０が判断することになるため、第１の装置１００の負荷や時間を削減することができる。
図１と比較すると、画像入替タイミング判断部１０３はネットワークを介してスケジュール管理部１０１とやり取りすることになるので、処理に時間がかかることになる。
第２の装置１１０の画像入替タイミング判断部１０３で処理を行った後、ネットワークを介して第１の装置１００の入替画像取得部１０４に実行要求を行うことになる。
【００５３】
＜実施形態３＞
画像入替タイミング判断部１０３およびスケジュール管理部１０１を第２の装置１１０の中に入れた時の構成を図４のブロック図で示す。
図１と異なり、画像の入れ替えタイミングは第２の装置１１０が判断することになるため、第１の装置１００の負荷や時間を削減することができる。また、図３と異なり、スケジュール管理部１０１にネットワークを介してやり取りする必要が無いため、画像入替タイミング判断部１０３の時間を削減することができる。
【００５４】
本実施形態によれば、図１や図３と比較すると、スケジュールを第２の装置１１０で管理することになるので、負荷が高くなりより多くのストレージ容量が必要になる。
第２の装置１１０の画像入替タイミング判断部１０３で処理を行った後、ネットワークを介して第１の装置１００の入替画像取得部１０４に実行要求を行うことになる。
【００５５】
＜実施形態４＞
以上、実施形態例を詳述したが、本発明は例えば、システム、装置、方法、プログラム若しくは記録媒体(記憶媒体)等としての実施態様をとることが可能である。具体的には、複数の機器（例えば、ホストコンピュータ、インターフェース機器、撮像装置、webアプリケーション等）から構成されるシステムに適用してもよいし、また、一つの機器からなる装置に適用してもよい。
【００５６】
また、本発明は、以下の処理を実行することによっても実現される。即ち、上述した実施形態の機能を実現するソフトウェア（コンピュータプログラム）を、ネットワーク又は各種のコンピュータ読み取り可能な記憶媒体を介してシステム或いは装置に供給する。そして、そのシステム或いは装置のコンピュータ（またはＣＰＵやＭＰＵ等）がプログラムを読み出して実行する処理である。
【符号の説明】
【００５７】
１００  第１の装置、１０１  スケジュール管理部、１０２  画像管理部、１０３  画像入替タイミング判断部、１０４  入替画像取得部、１０５  画像送信部、１０６  画像入替設定管理部、１１０  第２の装置、１１１  端末側画像管理部、１１２  画像撮影部、１１３  画像入替部
【図１】
2013165451.tif 000003
【図２】
2013165451.tif 000004
【図３】
2013165451.tif 000005
【図４】
2013165451.tif 000006
【図５】
2013165451.tif 000007
【図６】
2013165451.tif 000008
【図７】
2013165451.tif 000009
【図８】
2013165451.tif 000010
【図９】
2013165451.tif 000011
【図１０】
2013165451.tif 000012